(57)【要約】【課題】ウェブページに掲載された未来の予定の日時を基準として、横断的にイベントの検索を行う為の検索システムを提供することを課題とする。【解決手段】実施が予定されているイベントに関する情報を収集する為の検索システムであって、解析対象のウェブページに関する文章情報を取得する文章情報取得手段と、少なくともウェブページのタイトル及びURLを含み、前記ウェブページに関連したページ情報を取得するページ情報取得手段と、前記文章情報を解析し、未来の日時を少なくとも含む予定情報を取得する予定情報取得手段と、前記ページ情報及び前記予定情報を紐づけて、索引情報としてデータベースに格納する格納手段と、を有することを特徴とする。【選択図】図１
2018190100.tif 000002
【特許請求の範囲】
【請求項１】
実施が予定されているイベントに関する情報を収集する為の検索システムであって、
解析対象のウェブページに関する文章情報を取得する文章情報取得手段と、
少なくともウェブページのタイトル及びURLを含み、前記ウェブページに関連したページ情報を取得するページ情報取得手段と、
前記文章情報を解析し、未来の日時情報を少なくとも含む予定情報を取得する予定情報取得手段と、
前記ページ情報及び前記予定情報を紐づけて、索引情報としてデータベースに格納する格納手段と、を有することを特徴とする検索システム。
【請求項２】
前記予定情報取得手段は、前記文章情報を解析して得られた日時が、前記文章情報取得手段によって文章情報を取得した取得日時と比較して、未来の日時である場合、予定情報として取得することを特徴とする請求項１に記載の検索システム。
【請求項３】
前記予定情報取得手段は、前記文章情報を解析して得た日時に基づいて、所定のフォーマットの日時情報を生成し、未来の日時情報として取得すること、を特徴とする請求項１又は請求項２の何れかに記載の検索システム。
【請求項４】
前記日時情報は、１４桁の数字であることを特徴とする請求項３に記載の検索システム。
【請求項５】
日時指定情報及び／又はキーワードを含む検索要求を受け付ける受付手段と、
入力された前記日時指定情報に基づいて、前記データベースに格納された１又は複数のウェブページに関連した索引情報を検索処理する検索手段と、
検索処理された前記１又は複数の索引情報の表示順位を制御する順位情報を設定する順位設定手段と、
前記索引情報及び順位情報に基づいて、検索処理結果を出力する出力手段と、を有することを特徴とする請求項１〜４の何れかに記載の検索システム。
【請求項６】
ユーザ端末から入力された前記検索要求に日時指定情報が含まれていない場合、検索要求を行った日時を日時指定情報とすること、を特徴とする請求項５に記載の検索システム。
【請求項７】
前記順位設定手段は、日時指定情報として受け付けた日時と、予定情報に含まれる日時と、の時間的な開きを１の評価指標として、順位情報の設定を行うこと、を特徴とする請求項５又は請求項６に記載の検索システム。
【請求項８】
ユーザ端末から入力された前記検索要求に日時指定情報が含まれていない場合、
前記順位設定手段は、検索を行った日時以降の予定情報について、検索を行った日時と、予定情報に含まれる日時と、の時間的な開きを１の指標として、順位情報の設定を行うこと、を特徴とする請求項７に記載の検索システム。
【請求項９】
入力された日時指定情報が過去の日時の場合、前記検索手段は、過去の日時情報を含む予定情報を検索し、
入力された日時指定情報が未来の日時の場合、前記検索手段は、未来の日時情報を含む予定情報を検索することを特徴とする請求項５〜８の何れかに記載の検索システム。
【請求項１０】
実施が予定されているイベントに関する情報を収集する為の検索サーバであって、
解析対象のウェブページに関する文章情報を取得する文章情報取得手段と、
少なくともウェブページのタイトル及びURLを含み、前記ウェブページに関連したページ情報を取得するページ情報取得手段と、
前記文章情報を解析し、未来の日時情報を少なくとも含む予定情報を取得する予定情報取得手段と、
前記ページ情報及び前記予定情報を紐づけて、索引情報としてデータベースに格納する格納手段と、を有することを特徴とする検索サーバ。
【請求項１１】
実施が予定されているイベントに関する情報を収集する為の収集方法であって、
検索システムが、解析対象のウェブページに関する文章情報を取得する処理と、
少なくともウェブページのタイトル及びURLを含み、前記ウェブページに関連したページ情報を取得する処理と、
前記文章情報を解析し、未来の日時情報を少なくとも含む予定情報を取得する処理と、
前記ページ情報及び前記予定情報を紐づけて、索引情報としてデータベースに格納する処理と、を行うことを特徴とする収集方法。
【請求項１２】
実施が予定されているイベントに関する情報を収集する為の収集プログラムであって、
コンピュータを、解析対象のウェブページに関する文章情報を取得する文章情報取得手段と、
少なくともウェブページのタイトル及びURLを含み、前記ウェブページに関連したページ情報を取得するページ情報取得手段と、
前記文章情報を解析し、未来の日時情報を少なくとも含む予定情報を取得する予定情報取得手段と、
前記ページ情報及び前記予定情報を紐づけて、索引情報としてデータベースに格納する格納手段と、として機能させることを特徴とする収集プログラム。
【発明の詳細な説明】
【技術分野】
【０００１】
本発明は、実施予定のイベント等の情報が掲載されたウェブページの検索を行う為の検索システムに関するものである。
【背景技術】
【０００２】
インターネットの普及によって、ウェブページを介した情報の提供が盛んに行われている。ユーザは、ウェブブラウザを介して、検索システムを利用し、所望の情報が掲載されたウェブページを検索、表示する。
【０００３】
一般に、検索システムは、インターネット等の通信ネットワークにより通信可能なサーバ（ウェブサーバやファイルサーバ等）から、ユーザが入力した検索クエリに合致するウェブページを検索するために、予め、これらのサーバに格納されるウェブページ等の情報を収集し、解析（パース）して、インデックスを作成している。検索システムは、予め作成したインデックスを用いて、ユーザが所望する検索条件に合致するウェブページを、このインデックスに基づいて検索する。
【０００４】
検索システムに係る技術として、通信ネットワークを介して通信可能な格納装置に格納される、当該格納装置に格納される文書の巡回に関する定義を含む制御情報に基づいて、前記巡回のスケジュールを決定する巡回制御手段と、前記巡回制御手段が決定したスケジュールにしたがって、前記格納装置に格納される文書を巡回すると共に当該文書に関する索引情報を作成または更新する巡回手段とを備えた検索装置に係る技術が知られている（特許文献１）。
【先行技術文献】
【特許文献】
【０００５】
【特許文献１】特開２０１５−１７２８０８号公報
【発明の概要】
【発明が解決しようとする課題】
【０００６】
しばしば、ウェブページには、将来実施される予定の日時等と共に、予定に関する情報が掲載される。ここで将来実施される予定とは、イベント、即ちフェスティバルや展示会、お祭等であり、将来実施される予定として、ウェブページ上に情報掲載される。ユーザは、掲載された日時や開催場所等の情報をもとに、イベントに参加することが可能である。
【０００７】
しかしながら、そうした将来実施される予定の情報は、催しや催事、興行等に関する情報を専門に取り扱う個々ウェブサイトが独自に提供しているのみである。例えば、観光に特化した専門のウェブサイトや、興行に特化した専門のウェブサイト等が、専門とするイベントの予定を開示している。
【０００８】
それら複数のウェブサイトや、その他のウェブページで提供されている予定の情報を、横断的に検索可能な検索エンジンは提供されておらず、所定に日時に実施されるイベントを網羅的に把握する為には、各ウェブサイトに個別にアクセスし、情報を検索する必要が生じていた。
【０００９】
本発明は、上記のような実状に鑑みてなされたものであり、ウェブページに掲載された未来の予定の日時を基準として、横断的にイベントの検索を行う為の検索システムを提供することを課題とする。
【課題を解決するための手段】
【００１０】
上記課題を解決するために、本発明は、実施が予定されているイベントに関する情報を収集する為の検索システムであって、
解析対象のウェブページに関する文章情報を取得する文章情報取得手段と、
少なくともウェブページのタイトル及びURLを含み、前記ウェブページに関連したページ情報を取得するページ情報取得手段と、
前記文章情報を解析し、未来の日時情報を少なくとも含む予定情報を取得する予定情報取得手段と、
前記ページ情報及び前記予定情報を紐づけて、索引情報としてデータベースに格納する格納手段と、を有することを特徴とする。
【００１１】
このような構成とすることで、未来の日時情報を含んだ予定情報を索引情報として記録して、ユーザが所望する日時を基準として、実施予定のイベントに関する情報を検索することが可能となる。
【００１２】
本発明の好ましい形態では、前記予定情報取得手段は、前記文章情報を解析して得られた日時が、前記文章情報取得手段によって文章情報を取得した取得日時と比較して、未来の日時である場合、予定情報として取得することを特徴とする。
文章情報には、実施が予定されたイベントの日時に加えて、文章情報の登録日時や更新日時等、日時に関するものの、将来の予定には無関係な情報が多数含まれている。このような構成とすることで、将来の予定に関連した日時を抜き出し、索引情報を作成することができる。
【００１３】
本発明の好ましい形態では、前記予定情報取得手段は、前記文章情報を解析して得た日時に基づいて、所定のフォーマットの日時情報を生成し、未来の日時情報として取得すること、を特徴とする。
このような構成とすることで、種々の形式で掲載された日時を、一定の形式に落とし込んで処理することができる。
【００１４】
本発明の好ましい形態では、前記日時情報は、１４桁の数字であることを特徴とする。
このような構成とすることで、種々の形式で掲載された日時を、一定の形式に落とし込んで処理することができる。
【００１５】
本発明の好ましい形態では、日時指定情報及び／又はキーワードを含む検索要求を受け付ける受付手段と、
入力された前記日時指定情報に基づいて、前記データベースに格納された１又は複数のウェブページに関連した索引情報を検索処理する検索手段と、
検索処理された前記１又は複数の索引情報の表示順位を制御する順位情報を設定する順位設定手段と、
前記索引情報及び順位情報に基づいて、検索処理結果を出力する出力手段と、を有することを特徴とする。
このような構成とすることで、日時を用いて、ウェブページの検索を行うことができる。
【００１６】
本発明の好ましい形態では、ユーザ端末から入力された前記検索要求に日時指定情報が含まれていない場合、検索要求を行った日時を日時指定情報とすること、を特徴とする。
このような構成とすることで、検索を行った日時（検索クエリを発行した日時等）をもとに、将来のイベントに関する情報を検索することができる。
【００１７】
本発明の好ましい形態では、前記順位設定手段は、日時指定情報として受け付けた日時と、予定情報に含まれる日時と、の時間的な開きを１の評価指標として、順位情報の設定を行うこと、を特徴とする。
このような構成とすることで、指定の日時に近いイベントを、より優先的に表示させることができる。
【００１８】
本発明の好ましい形態では、ユーザ端末から入力された前記検索要求に日時指定情報が含まれていない場合、
前記順位設定手段は、検索を行った日時以降の索引情報について、検索を行った日時と、前記索引情報に含まれる予定情報の日時と、の時間的な開きを１の指標として、順位情報の設定を行うこと、を特徴とする。
このような構成とすることで、指定の日時に近いイベントを、より優先的に表示させることができる。
【００１９】
本発明の好ましい形態では、入力された日時指定情報が過去の日時の場合、前記検索手段は、過去の日時情報を含む予定情報を検索し、
入力された日時指定情報が未来の日時の場合、前記検索手段は、未来の日時情報を含む予定情報を検索することを特徴とする。
このような構成とすることで、過去の情報（索引情報に経過後の日時情報が含まれたイベント、終了したイベントに関する情報）と、未来の情報と、を分けて検索することができ、検索効率を高めることができる。
【００２０】
本発明は、実施が予定されているイベントに関する情報を収集する為の検索サーバであって、
解析対象のウェブページに関する文章情報を取得する文章情報取得手段と、
少なくともウェブページのタイトル及びURLを含み、前記ウェブページに関連したページ情報を取得するページ情報取得手段と、
前記文章情報を解析し、未来の日時情報を少なくとも含む予定情報を取得する予定情報取得手段と、
前記ページ情報及び前記予定情報を紐づけて、索引情報としてデータベースに格納する格納手段と、を有することを特徴とする。
【００２１】
本発明は、実施が予定されているイベントに関する情報を収集する為の収集方法であって、
検索システムが、解析対象のウェブページに関する文章情報を取得する処理と、
少なくともウェブページのタイトル及びURLを含み、前記ウェブページに関連したページ情報を取得する処理と、
前記文章情報を解析し、未来の日時情報を少なくとも含む予定情報を取得する処理と、
前記ページ情報及び前記予定情報を紐づけて、索引情報としてデータベースに格納する処理と、を行うことを特徴とする。
【００２２】
本発明は、実施が予定されているイベントに関する情報を収集する為の収集プログラムであって、
コンピュータを、解析対象のウェブページに関する文章情報を取得する文章情報取得手段と、
少なくともウェブページのタイトル及びURLを含み、前記ウェブページに関連したページ情報を取得するページ情報取得手段と、
前記文章情報を解析し、未来の日時情報を少なくとも含む予定情報を取得する予定情報取得手段と、
前記ページ情報及び前記予定情報を紐づけて、索引情報としてデータベースに格納する格納手段と、として機能させることを特徴とする。
【発明の効果】
【００２３】
本発明によれば、ウェブページに掲載された未来の予定の日時を基準として、横断的にイベントの検索を行う為の検索システムを提供することができる。
【図面の簡単な説明】
【００２４】
【図１】本発明の実施形態に関る検索システムの概要を示す図である。
【図２】本発明の実施形態に関る検索サーバのハードウェア構成の一例を示す図である。
【図３】本発明の実施形態に関る検索サーバの機能ブロック図である。
【図４】本発明の実施形態に関る索引情報の一例を示す図である。
【図５】本発明の実施形態に関る日付を日時情報に変換する際の概念図である。
【図６】本発明の実施形態に関る検索画面の画面表示例ある。
【図７】本発明の実施形態に関る結果表示画面の画面表示例である。
【図８】本発明の実施形態に関るクローラによる索引情報の作成処理に係る処理フローチャートである。
【図９】本発明の実施形態に関る検索エンジンによる検索処理に係る処理フローチャートである。
【発明を実施するための形態】
【００２５】
以下、図面を用いて、本発明の実施形態に関る検索システムについて説明する。なお、以下に示す実施形態は本発明の一例であり、本発明を以下の実施形態に限定するものではなく、様々な構成を採用することができる。
【００２６】
例えば、本実施形態では検索システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２７】
図１は、本発明の実施形態に関る検索システムの概要を示す図である。検索システムは、検索サーバ１と、ユーザ端末２と、ウェブページに係る文章情報を記憶したウェブサーバＷと、を備えており、これらが、インターネット等のネットワークによって接続されている。
【００２８】
検索サーバ１は、ウェブページの情報を収集してインデックス（索引情報）を作成する処理と、ユーザ端末２からの検索クエリ（検索要求）に合致したウェブページを、インデックスに基づいてユーザに提示する処理と、を実行する。これらの処理は、１又は複数の検索サーバ１によって実行されても構わない。
【００２９】
本実施形態では、検索サーバ１は、未来の特定の日時に実施が予定されたイベント（催し、催事等）に関する情報を、イベントに関する情報が記述されたウェブページを巡回して取得し、そのウェブページの検索、即ち未来のイベントの検索をユーザに可能とするものである。なお、日時は、必ずしもイベントが開催される時刻の情報を含んでいる必要はなく、日付のみや、実施年及び日付によって表されるものであってもよい。また、日付に加え、実施年の情報を含んでいても構わない。
【００３０】
図２は、本実施形態に関る検索サーバ１のハードウェア構成の一例を示す図である。検索サーバ１は、ＣＰＵ１０１と、ＲＡＭ１０２と、記憶装置１０３と、キーボードやマウス等の入力装置１０４と、モニタ等の出力装置１０５と、ネットワークや外部装置と通信を行うためのインタフェースである通信装置１０６と、を備えている。また、記憶装置１０３には、オペレーティングシステム１０７（ＯＳ）と、検索プログラム１０８等が記録されている。
【００３１】
ユーザ端末２は、ＣＰＵと、メモリと、記憶装置と、入力装置と、出力装置と、通信装置と、を備えている。また、記憶装置には、オペレーティングシステム（ＯＳ）と、検索用プログラム等が記録されている。ユーザ端末２として、スマートフォン、タブレット端末、ＰＣ等の汎用のコンピュータ装置や、サーバ装置等、実施の形態に合わせて好適な電子計算機を適善利用することができる。
【００３２】
例えば、ユーザ端末２がスマートフォンやタブレット端末、ＰＣ等の場合は、検索用プログラムとしてウェブブラウザアプリケーションを有し、ウェブブラウザアプリケーションを介して、ユーザからの要求を受け取り、検索結果を返送する。ユーザ端末２がサーバ装置の場合、例えば図示しない他の端末からの検索要求を受け取り、検索サーバ１に対してＡＰＩを介して検索の要求、他の端末への出力を行うアプリケーション等を、検索用プログラムとして有している。
【００３３】
図３は、検索サーバ１の機能ブロック図である。検索サーバ１は、巡回制御手段１１、文章情報取得手段１２、ページ情報取得手段１３、予定情報取得手段１４、格納手段１５、を有するクローラと、受付手段１６、検索手段１７、順位設定手段１８、出力手段１９を有する検索エンジンと、索引情報ＤＢ１０と、を備えている。
【００３４】
索引情報ＤＢ１０は、インデックス（索引情報）を記憶している。図４は、索引情報の一例を示す図である。索引情報は、インデックスＩＤと、ウェブページのＵＲＬと、ウェブページのページタイトルと、ページタイトルや文章情報内のテキストをパースして得られた検索ワードと、日時情報と、インデックスを作成（更新）したインデックス作成日時と、を備えている。
【００３５】
巡回制御手段１１は、図示しない巡回制御データに基づいて、クローラによる文書情報の取得と、取得した文章情報に基づく索引情報の作成（更新）の制御を行う。文章情報取得手段１２は、巡回対象のウェブページから文章情報を取得する。文章情報とは、ウェブページを構成するＨＴＭＬファイル等である。
【００３６】
ページ情報取得手段１３は、文章情報取得手段１２を介して取得した文章情報を解析して、そのページ情報の少なくとも一部を取得する。ページ情報とは、索引情報の（未来の）日時情報に係る部分以外の情報（ページタイトル、ＵＲＬ等）である。インデックス作成日時は、例えば、文章情報取得手段１２により文章情報を取得した日時や、ページ情報取得手段１３によってページ情報を取得した日時が付与される。
【００３７】
予定情報取得手段１４は、文章情報取得手段１２を介して取得した文章情報を解析して、未来の日時を取得して、日時情報を含む予定情報を生成する。日時情報は、文章情報に含まれた未来の日時を、所定のフォーマットに変換したものである。図５は、日付を日時情報に変換する際の概念図である。本実施形態では、日付を、１４桁の数字列形式に変換し、日時情報を生成する。予定情報は、文章情報を解析して得られた、イベント名やイベント説明等を、更に含んでいてもよい。
【００３８】
格納手段１５は、取得したページ情報と、生成した予定情報、検索キーワードを紐づけて、索引情報ＤＢ１０に、索引情報として記憶する。文章情報を解析して得られた単語やテキスト、ページタイトルそのものや、ページタイトルを解析してられた単語やテキストを、検索キーワードとして設定される。また、予定情報が、イベント名やイベント説明等を含む場合、検索ワードとして記憶してよい。
【００３９】
受付手段１６は、ユーザ端末２のウェブブラウザアプリケーション等から、検索要求を受け付ける。検索要求は、任意の日時を指定する為の日時指定情報及び／又は検索用のキーワードを有する。
【００４０】
図６は、ユーザ端末２のウェブブラウザアプリケーションを介して、検索クエリを発行する際の画面表示例ある。図６（ａ）は、未入力の場合の画面表示例である。検索画面Ｗ１は、検索用のキーワードを入力する為の検索キーワード入力部Ｗ１１と、日時指定情報を入力する為の日時指定情報入力部Ｗ１２と、検索要求部Ｗ１３と、を備えている。図６（ｂ）は、検索キーワード（図示例における「東京」）及び日時指定情報（図示例における開始日時「2018年／4月／1日」）を入力した場合の画面表示例である。
【００４１】
検索手段１７は、前記検索要求に基づいて、索引情報ＤＢ１０に記憶された索引情報を検索し、該当する０、１又は２以上の索引情報を抽出する。
【００４２】
受付手段１６によって受け付けた検索要求に日時指定情報の入力がなく、検索用キーワードのみが入力された場合、検索手段１７は、検索要求（クエリ）が発行された日時など、検索が行われた日時を日時指定情報とし、日時指定情報で指定された日時以降（又は日時より後）の未来の日時情報が含まれた索引情報を検索する。
【００４３】
受付手段１６によって受け付けた検索要求に日時指定情報の入力があり、未来の日時を指定する日時指定情報が含まれている場合、検索手段１７は、日時指定情報で指定された日時以降（又は日時より後）の未来の日時情報が含まれた索引情報を検索する。
【００４４】
受付手段１６によって受け付けた検索要求に日時指定情報の入力があり、過去の日時を指定する日時指定情報が含まれている場合、検索手段１７は、日時指定情報で指定された日時以前（又は日時より前）の過去の日時情報が含まれた索引情報を検索する。
【００４５】
抽出された索引情報には、順位設定手段１８によって評価が行わる。この評価に基づいて、検索結果として表示する順位を示す為の順位情報が設定される。評価は、予め索引情報に紐づけられた評価指標及び／又は、検索要求に伴って得られた情報に基づいて設定される評価指標に基づいて算出される。
【００４６】
例えば、検索要求に伴って得られた情報に基づいて設定される評価指標の一つとして、日時指定情報で指定された日時とインデックスに含まれる日時情報の時間的な開きに応じて得られる評価を用いてもよい。また、検索した索引情報が０又は１の場合には、順位情報の設定（評価）を行わなくても構わない。
【００４７】
出力手段１９は、検索手段１７で検索したインデックスの少なくとも一部を含む検索結果を、インデックスに含まれるページタイトルやＵＲＬ、日時情報と、順位設定手段１８で設定された順位情報と、に基づいて、ユーザ端末２に、所定の形式で出力する。
【００４８】
図７は、ユーザ端末２のウェブブラウザに検索結果を表示した場合の画面表示例である。結果表示画面Ｗ２は、検索要求入力部Ｗ２１と、検索結果を表示する結果表示部Ｗ２２と、索引情報表示部Ｗ２３と、を備えている。結果表示部Ｗ２２には、検索手段１７で検索したインデックスのうち、上位１０位までの評価がなされたインデックスに含まれた情報の少なくとも一部が、索引情報表示部Ｗ２３として表示されている。
【００４９】
次いで、図８を用いて、クローラによる索引情報の作成処理について説明する。図８は、検索サーバ１用いて索引情報を作成する場合の処理フローチャートである。巡回制御手段１１によって索引情報の作成要求がなされている場合（ステップＳ１でＹｅｓ）、巡回制御データに基づいて指示されたウェブページに係るウェブページのＨＴＭＬファイル（文章情報）を、文章情報取得手段１２を介して取得する（ステップＳ２）。索引情報の作成要求がなされていない（すべての作成要求を受付けた）場合（ステップＳ１でＮｏ）、処理を終了する。
【００５０】
文章情報を取得したならば、ページ情報取得手段１３、予定情報取得手段１４を介して、文章情報を解析して、ページタイトルやＵＲＬ等のページ情報と、日時情報と、を特定する（ステップＳ３）。日時情報が、文章情報を取得した日時よりも過去の場合（ステップＳ４でＮｏ）、ステップＳ１に戻り、巡回要求に応じて別のウェブページについて索引情報の作成を行う。日時情報が、文章情報を取得した日時よりも未来の場合（ステップＳ４でＹｅｓ）、日時情報を取得する（ステップＳ５）。
【００５１】
ステップＳ５で取得した日時情報と、ページ情報とを紐づけて、索引情報を作成し（ステップＳ６）、格納手段１５を用いて、索引情報データベース１０に記憶する（ステップＳ７）。
【００５２】
同じ文章情報に、別の未来の日時が含まれている場合（ステップＳ９でＹｅｓ）、ステップＳ５〜７を繰り返して、別の（未来の）日時情報が含まれた索引情報を記憶する。別の日時がない場合（ステップＳ８でＮｏ）、ステップＳ１に戻る。
【００５３】
次いで、図９を用いて、検索エンジンによる検索処理について説明する。図９は、検索サーバ１用いて検索を行う際の処理フローチャートである。受付手段１６が、ユーザ端末２から検索要求を受け付ける（ステップＳ１１）。検索要求に日時指定情報が含まれている場合（ステップＳ１２でＮｏ）、検索を行った日時を、日時指定情報とする（ステップＳ１２）。
【００５４】
日時指定情報が示す日時が、検索を行った日時以降の場合（ステップＳ１４でＹｅｓ）、検索手段１７は、未来の日時情報が紐づいた索引情報を索引情報ＤＢ１０より検索する（ステップＳ１５）。日時指定情報が示す日時が、検索を行った日時より前の場合（ステップＳ１４でＮｏ）、検索手段１７は、過去の日時情報が紐づいた索引情報を索引情報ＤＢ１０より検索する（ステップＳ１６）。
【００５５】
ステップＳ１５又はステップＳ１６において検索手段１７が抽出した複数の索引情報に対して、順位設定手段１８が評価を行い、順位情報を設定する（ステップＳ１７）。出力手段１９は、検索手段１７で検索した索引情報の少なくとも一部を、検索結果として、インデックスに含まれるページタイトルやＵＲＬ、日時情報と、順位設定手段１８で設定された順位情報と、に基づいて、ユーザ端末２に、所定の形式で出力する（ステップＳ１８）。
【００５６】
本発明によれば、未来の日時情報を含んだ予定情報を索引情報として記録して、ユーザが所望する日時を基準として、実施予定のイベントに関する情報を検索することが可能となる。
【００５７】
また、将来の予定に関連した日時を抜き出し、索引情報を作成することができる。また、種々の形式で掲載された日時を、一定の形式に落とし込んで処理することができる。
【００５８】
また、指定の日時に近いイベントを、より優先的に表示させることができる。また、過去の情報（索引情報に経過後の日時情報が含まれたイベント、終了したイベントに関する情報）と、未来の情報と、を分けて検索することができ、検索効率を高めることができる。
【符号の説明】
【００５９】
１  検索サーバ
１０索引情報ＤＢ
１１  巡回制御手段
１２  文章情報取得手段
１３  ページ情報取得手段
１４  予定情報取得手段
１５  格納手段
１６  受付手段
１７  検索手段
１８  順位設定手段
１９  出力手段
１０１  ＣＰＵ
１０２  ＲＡＭ
１０３  記憶装置
１０４  入力装置
１０５  出力装置
１０６  通信装置
１０７  オペレーティングシステム
１０８  検索プログラム
２  ユーザ端末
Ｗ  ウェブサーバ
Ｗ１  検索画面
Ｗ１１  検索キーワード入力部
Ｗ１２  日時指定情報入力部
Ｗ１３  検索要求部
Ｗ２  結果表示画面
Ｗ２１  検索要求入力部
Ｗ２２  結果表示部
Ｗ２３  索引情報表示部
【図１】
2018190100.tif 000003
【図２】
2018190100.tif 000004
【図３】
2018190100.tif 000005
【図４】
2018190100.tif 000006
【図５】
2018190100.tif 000007
【図６】
2018190100.tif 000008
【図７】
2018190100.tif 000009
【図８】
2018190100.tif 000010
【図９】
2018190100.tif 000011